(57)【要約】  【課題】  広い室内空間に複数の室内機が配置された空気調和システムにおいて、人が居ると判定された室内機のみ空調運転させると、温度調節された空気が人が居ないと判定された室内機の空調エリアへと流れ、人が快適な室温にすることができない場合がある。【解決手段】人の存在を検知した室内機に連動し、隣り合う位置の人の存在を検知していない室内機から送風運転を行うことにより、人の存在を検知した室内機の冷暖房運転または暖房運転よって温度調節された空気が、人の存在を検知していない室内機の空調エリアへと流れ出すことを防止し、広い室内空間の中で人が居る特定の空調エリアだけを効率的に温度調節する。【選択図】図５
2017083084.tif 000002
【特許請求の範囲】
【請求項１】
外部からの指示を受けて冷房運転、暖房運転及び送風運転を行う複数の室内機が通信接続された空気調和システムであって、前記室内機は、人が居るか否かを検知する人検知センサと、温度を検出する温度センサとを有し、前記人検知センサが人の存在を検知した場合、前記温度センサが検出する温度が予め設定された設定温度になるように冷房運転または暖房運転を行い、かつ、人の存在を検知した前記室内機と隣り合う位置にある、人の存在を検知していない室内機を送風運転することを特徴とする空気調和システム。
【請求項２】
前記空気調和システムは、前記室内機が、異なる方向に空気を吹出す複数の空気吹出し口を有し、人の存在を検知した前記室内機と隣り合う位置にある、人の存在を検知していない室内機を送風運転する場合、複数の前記空気吹出し口のうち、人の存在を検知した前記室内機側にある前記空気吹出し口から送風することを特徴とする請求項１に記載の空気調和システム。
【発明の詳細な説明】
【技術分野】
【０００１】
本発明は、複数の室内機を連動させて空調を行う空気調和システムに関する。
【背景技術】
【０００２】
従来、空気調和システムでは、オフィスビルや商業施設などの広い室内空間を空調するために、１つの室内に複数台の室内機を配置し、室内機それぞれが冷房運転や暖房運転を行うことで、室内全体を快適な室温にすることができるようになっている。
【０００３】
このような複数台の室内機を有する空気調和システムには、複数台の室内機と、各室内機の空調エリア毎にそれぞれ設置された人検知センサから、各室内機の空調エリア毎に人が居るか否かを判定し、人が居ると判定された室内機のみ空調運転させることで、無駄な室内機の稼働を抑制するものが知られている。（例えば、特許文献１参照）。
【先行技術文献】
【特許文献】
【０００４】
【特許文献１】特開２０１４−２０２３８３号公報（第３〜５頁、図１）
【発明の概要】
【発明が解決しようとする課題】
【０００５】
しかし、特許文献１の空気調和システムでは、広い室内空間のうち人が居ると判定された室内機の暖房運転または冷房運転によって温度調節された空気が、人が居ないと判定された運転を停止している室内機の方向へと流れてしまうため、空調運転を行っている室内機の空調エリアの室温を人が快適に感じる目標温度にすることができない、あるいは人が快適に感じる目標温度を維持することができない場合があった。
【０００６】
本発明は以上述べた問題点を解決し、広い室内空間の中で人が居る空調エリアだけを効率的に温度調節することにより省エネ性と、室内に居る人の快適性を高められる空気調和システムを提供することを目的とする。
【課題を解決するための手段】
【０００７】
本発明は上述の課題を解決するため、本発明の請求項１に記載の空気調和システムは、外部からの指示を受けて冷房運転、暖房運転及び送風運転を行う複数の室内機が通信接続された空気調和システムであって、前記室内機は、人が居るか否かを検知する人検知センサと、温度を検出する温度センサとを有し、前記人検知センサが人の存在を検知した場合、前記温度センサが検出する温度が予め設定された設定温度になるように冷房運転または暖房運転を行い、かつ、人の存在を検知した前記室内機と隣り合う位置にある、人の存在を検知していない室内機を送風運転することを特徴とする。
【０００８】
また、本発明の請求項２に記載の前記空気調和システムは、前記室内機が、異なる方向に空気を吹出す複数の空気吹出し口を有し、人の存在を検知した前記室内機と隣り合う位置にある、人の存在を検知していない室内機を送風運転する場合、複数の前記空気吹出し口のうち、人の存在を検知した前記室内機側にある前記空気吹出し口から送風することを特徴とする。
【発明の効果】
【０００９】
本発明の空気調和システムによれば、人の存在を検知した室内機の冷房運転または暖房運転に連動し、その室内機に隣り合う位置にある、人の存在を検知していない室内機を送風運転することにより、人の存在を検知した室内機から吹出される温度調節された空気が、人の存在を検知していない室内機の空調エリアへと流れ出すことを防止し、室内空間の中で人が居る空調エリアだけを効率的に温度調節し、省エネ性と室内に居る人の快適性を高めることができる。
【図面の簡単な説明】
【００１０】
【図１】本発明による空気調和システムの構成の一例を示すブロック図である。
【図２】本発明による１つの室内の天井に設置された複数の室内機の配置を説明する配置図である。
【図３】本発明による空気調和システムの管理テーブルを示す説明図ある。
【図４】本発明による空気調和システムの連動制御された複数の室内機の運転状態を示す説明図である。
【図５】本発明による空気調和システムの連動室内機毎の制御を開始するための処理の一例を示すフローチャートである。
【図６】本発明による空気調和システムの連動室内機毎の制御を終了するための処理の一例を示すフローチャートである。
【発明を実施するための形態】
【００１１】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１２】
図１は、本発明による空気調和システムの構成の一例を示すブロック図である。図１において空気調和システム１は、室内に設置される複数の室内機１０と、屋外に設置され室内機１０と共働して空調運転を行う室外機２０と、複数の室内機１０及び室外機２０を制御する集中管理装置３０で構成される。また、複数の室内機１０と、室外機２０と、集中管理装置３０は、通信線２を介して回線接続され、回線接続された装置間で相互に通信できるようになっている。
【００１３】
室内機１０は、人の存在を検知する人検知センサ１１と、室温を検出する温度センサ１２と、通信線２を介して回線接続された室外機２０や集中管理装置３０との通信を行う室内機通信部１３と、空気を吹出す複数の吹出口にそれぞれ設けられ、吹出口毎の開閉や空気を吹出す角度を調節するための風向板１４と、室内機１０を制御するための設定データなどを記憶する室内機記憶部１５と、これらを制御する室内機制御部１６を有している。なお、室内機制御部１６は人検知センサ１１が人の存在を検知した場合に人が居ると判定し、人検知センサ１１が人の存在を検知していない場合に人が居ないと判定する。
【００１４】
集中管理装置３０は、通信線２を介して回線接続された室内機１０や室外機２０との通信を行う通信部３１と、回線接続されている室内機１０及び室外機２０を制御するための設定データなどを記憶する記憶部３２と、これらを制御する制御部３３を有している。また、室外機２０は、通信線２を介して回線接続された室内機１０や集中管理装置３０との通信を行う室外機通信部２１と、室外機２０を制御する室外機制御部２２を有している。
【００１５】
また、室内機１０の室内機記憶部１５と、集中管理装置３０の記憶部３２のいずれか一方または両方には、複数の室内機１０を連動させて室内空間を効率的に温度調節するための設定データである後述する管理テーブル４０が記憶されている。
【００１６】
図２は、本発明による１つの室内の天井に設置された複数の室内機１０の配置を説明する配置図である。なお、図２の上側を北、右側を東、下側を南、左側を西の方角とする。図２には、室内機Ｎｏ．００１から室内機Ｎｏ．００９までの９台の室内機１０が、南北方向と東西方向に各３列配置され、例えば、室内機Ｎｏ．００４の西側には室内機Ｎｏ．００１、東側には室内機Ｎｏ．００７、南側には室内機Ｎｏ．００５が、それぞれ室内機Ｎｏ．００４と隣り合う位置に配置されている。
【００１７】
各室内機１０は、空気を吹出す吹出口を４つ備え、本発明の説明では、それぞれ室内機１０の中心から見て北側にある吹出口をＡ、東側にある吹出口をＢ、南側にある吹出口をＣ、西側にある吹出口をＤとする吹出口コードが割当てられ、例えば、室内機Ｎｏ．００２の吹出口Ｃから下向きに送風することで、南側に隣り合う位置に配置されている室内機Ｎｏ．００３から吹出される温度調節された空気が、室内機Ｎｏ．００２よりも北側に流れ出すことを防止できるようになっている。
【００１８】
図３は、本発明による空気調和システムの管理テーブル４０を示す説明図ある。この管理テーブル４０は、室内機１０の室内機記憶部１５と、集中管理装置３０の記憶部３２のいずれか一方または両方に予め記憶された設定データであり、図２で説明した室内機１０毎に、人検知センサ１１の検知結果から室内機制御部１６が、人が居ないと判定された状態から人が居ると判定された状態へと人の存在の有無の判定結果が変化した場合に参照され、その室内機１０で行われる暖房運転または冷房運転と連動して、隣り合う複数の室内機１０を送風運転させるために用いられる。また、人が居ると判定された状態から人が居ないと判定された状態へと人の存在の有無の判定結果が変化した場合にも参照され、その室内機１０で行われる運転停止と連動して、隣り合う複数の室内機１０の送風運転を停止させるために用いられる。
【００１９】
管理テーブル４０の項目について、図３の左側から説明する。「基準室内機Ｎｏ．」は、各々の室内機１０に対して設定された固有の番号である。ある室内機１０について人の存在の有無の判定結果が変化した場合、その室内機１０を基準室内機として、管理テーブル４０を参照し、その基準室内機と隣り合う位置に設置された複数の室内機１０（後述する連動室内機）を抽出するために用いられる。
【００２０】
「連動室内機１」〜「連動室内機４」は、基準室内機と連動して動作設定する室内機１０を連動室内機として、その連動室内機の室内機Ｎｏ．が「室内機Ｎｏ．」の項目に設定され、連動室内機に送風運転をさせる時に送風させる吹出口の吹出口コードが「吹出口」の項目に設定される。なお、連動室内機１〜４に設定された連動室内機であっても、その室内機１０が暖房運転もしくは冷房運転を行っている場合には、基準室内機に連動した制御を行わないようになっている。
【００２１】
例えば、図２の室内機Ｎｏ．００１の人検知センサ１１により、人が居ないと判定された状態から人が居ると判定された状態へと人の存在の有無の判定結果が変化した場合、室内機Ｎｏ．００１の室内機制御部１６は、温度センサ１２が検出する温度が、室内機Ｎｏ．００１に設定された室内機記憶部１５に記憶される設定温度になるように、冷房運転または暖房運転を行う。そして図３の管理テーブル４０を参照し、室内機Ｎｏ．００１を基準室内機とする連動室内機の設定、「連動室内機１」が室内機Ｎｏ．００４であり、送風運転時の吹出口が吹出口Ｄ、「連動室内機２」が室内機Ｎｏ．００２であり、送風運転時の吹出口が吹出口Ａ、を抽出する。
【００２２】
続いて、室内機制御部１６は基準室内機を室内機Ｎｏ．００１とする連動室内機の設定を基に、図２に示す室内機Ｎｏ．００１の東側に隣り合う室内機Ｎｏ．００４に吹出口Ｄから送風させる送風運転を行わせ、室内機Ｎｏ．００１の南側に隣り合う室内機Ｎｏ．００２に吹出口Ａから送風させる送風運転を行わせる。
【００２３】
なお、図３の管理テーブル４０を参照し、基準室内機に隣り合う複数の連動室内機に送風運転を行わせる連動制御は、室内機１０の室内機制御部１６または、集中管理装置３０の制御部３０で行われる。
【００２４】
図４は、本発明による空気調和システム１の連動制御された複数の室内機の運転状態を示す説明図である。なお、図４（ａ）は、人が居ると判定された室内機１０が、人が居ないと判定された室内機１０よりも少ない場合の一例を示し、図４（ｂ）は、人が居ると判定された室内機１０が室内の各所に点在する場合の一例を示している。なお、各室内機の配置については図２の説明と同様である。
【００２５】
図４（ａ）は、９台の室内機１０のうち、「人検知：有」と示す室内機Ｎｏ．００１と室内機Ｎｏ．００２の２台で人が居ると判定され、「人検知：無」と示す室内機Ｎｏ．００３〜室内機Ｎｏ．００９の７台で人が居ないと判定され、人が居ると判定された２台の室内機１０が冷房運転を行っている状況を示している。
【００２６】
室内機制御部１６は、室内機記憶部１５に記憶されている図３の管理テーブル４０を参照し、室内機Ｎｏ．００１を基準室内機とする連動室内機の情報を抽出し、連動室内機１に設定される室内機Ｎｏ．００４に対してその吹出口Ｄから下向きに送風する送風運転を行わせる。続いて連動室内機２に設定される室内機Ｎｏ．００２については基準室内機としての冷房運転を優先する。続いて連動室内機３には連動室内機Ｎｏ．が設定されていないため、抽出していた室内機Ｎｏ．００１を基準室内機とする連動室内機の動作設定を終了する。
【００２７】
室内機制御部１６は、次に室内機Ｎｏ．００２を基準室内機とする連動室内機の情報を抽出し、連動室内機１に設定される室内機Ｎｏ．００１ついては基準室内機としての冷房運転を優先する。続いて連動室内機２に設定される室内機Ｎｏ．００５に対してその吹出口Ｄから下向きに送風する送風運転を行わせる。続いて連動室内機３に設定される室内機Ｎｏ．００５に対してその吹出口Ａから下向きに送風する送風運転を行わせる。続いて連動室内機４には連動室内機Ｎｏ．が設定されていないため、抽出していた室内機Ｎｏ．００２を基準室内機とする連動室内機の動作設定を終了する。
【００２８】
管理テーブル４０を参照して図４（ａ）のように、人が居ると判定された室内機Ｎｏ．００１及び室内機Ｎｏ．００２と隣り合う、人が居ないと判定された連動室内機から下向きに送風する送風運転によるエアカーテンが作られ、冷房運転で冷やされた空気が、人が居る空調エリアから人が居ない空調エリアへと流れ出ることを防止することができる。
【００２９】
図４（ｂ）は、９台の室内機１０のうち「人検知：有」と示す室内に点在する室内機Ｎｏ．００２と室内機Ｎｏ．００６と室内機Ｎｏ．００７の３台で人が居ると判定され、これらの３台の室内機１０が暖房運転を行っている状況を示している。
【００３０】
室内機制御部１６は、室内機記憶部１５に記憶されている図３の管理テーブル４０を参照し、室内機Ｎｏ．００２を基準室内機とする連動室内機の情報を抽出し、連動室内機１に設定される室内機Ｎｏ．００１に対してその吹出口Ｃから下向きに送風する送風運転を行わせる。続いて連動室内機２に設定される室内機Ｎｏ．００５に対してその吹出口Ｄから下向きに送風する送風運転を行わせる。続いて連動室内機３に設定される室内機Ｎｏ．００３に対してその吹出口Ａから下向きに送風する送風運転を行わせる。続いて連動室内機４には連動室内機Ｎｏ．が設定されていないため、抽出していた室内機Ｎｏ．００２を基準室内機とする連動室内機の動作設定を終了する。
【００３１】
室内機制御部１６は、次に室内機記憶部１５に記憶されている図３の管理テーブル４０を参照し、室内機Ｎｏ．００６を基準室内機とする連動室内機の情報を抽出し、連動室内機１に設定される室内機Ｎｏ．００５が既に送風運転を行っているためその吹出口Ｃからも下向きに送風させる。続いて連動室内機２に設定される室内機Ｎｏ．００９に対してその吹出口Ｄから下向きに送風する送風運転を行わせる。続いて連動室内機３に設定される室内機Ｎｏ．００３が既に送風運転を行っているためその吹出口Ｂからも下向きに送風させる。続いて連動室内機４には連動室内機Ｎｏ．が設定されていないため、抽出していた室内機Ｎｏ．００６を基準室内機とする連動室内機の動作設定を終了する。
【００３２】
室内機制御部１６は、次に室内機記憶部１５に記憶されている図３の管理テーブル４０を参照し、室内機Ｎｏ．００７を基準室内機とする連動室内機の情報を抽出し、連動室内機１に設定される室内機Ｎｏ．００８に対してその吹出口Ａから下向きに送風する送風運転を行わせる。続いて連動室内機２に設定される室内機Ｎｏ．００４に対してその吹出口Ｂから下向きに送風する送風運転を行わせる。続いて連動室内機３には連動室内機Ｎｏ．が設定されていないため、抽出していた室内機Ｎｏ．００７を基準室内機とする連動室内機の動作設定を終了する。
【００３３】
管理テーブル４０を参照して図４（ｂ）のように、人が居ると判定された室内に点在する室内機Ｎｏ．００２及び室内機Ｎｏ．００６及び室内機Ｎｏ．００７と隣り合う、人が居ないと判定された連動室内機から下向きに送風する送風運転によるエアカーテンが作られ、暖房運転で温められた空気が、人が居る空調エリアから人が居ない空調エリアへと流れ出ることを防止することができる。
【００３４】
図５は、本発明による空気調和システム１の連動室内機毎の制御を開始するための処理の一例を示すフローチャートである。図５の処理を開始する条件として、室内機制御部１６は人が居ないと判定しているものとする。なお、フローチャートに記載のＳＴはステップを表し、これに続く数字はステップ番号をそれぞれ表している。
【００３５】
室内機制御部１６は、人が居ると判定結果が変化したか否かを確認する（ＳＴ１）、人が居ると判定結果が変化した場合（ＳＴ１−Ｙｅｓ）、自機を基準室内機と認識し、その室内機１０の温度センサ１２が検出する温度が、その室内機１０に設定された設定温度になるように、冷房運転または暖房運転を開始する（ＳＴ２）。続いて、図３で説明した管理テーブル４０を参照し基準室内機である自機に対する連動室内機として、連動室内機１から連動室内機４までに設定される室内機１０を連動室内機１から昇順に制御するために用いる連動室内機用変数“Ｎ”に連動室内機１を示す数値“１”をセットする。（ＳＴ３）。続いて、室内機記憶部１５に記憶されている管理テーブル４０を参照し、冷房運転または暖房運転を開始させた室内機１０（基準室内機）に対応する、連動室内機１から連動室内機４までに設定される複数の連動室内機の室内機Ｎｏ．と吹出口コードの設定を抽出する（ＳＴ４）。
【００３６】
続いて室内機制御部１６は、管理テーブル４０から抽出した連動室内機１から連動室内機４までに設定される複数の連動室内機の室内機Ｎｏ．と吹出口コードの設定の中に、連動室内機用変数Ｎ＝１に設定されている室内機Ｎｏ．があるか否かを確認する（ＳＴ５）。連動室内機用変数Ｎ＝１に設定されている室内機Ｎｏ．がある場合（ＳＴ５−Ｙｅｓ）、連動室内機用変数Ｎ＝１に設定されている室内機Ｎｏ．の室内機１０が冷房運転中または暖房運転中か否かを確認する（ＳＴ６）。連動室内機用変数Ｎ＝１が設定されている室内機Ｎｏ．の室内機１０が冷房運転中または暖房運転中ではない場合（ＳＴ６−Ｎｏ）、連動室内機用変数Ｎ＝１が設定されている室内機Ｎｏ．の室内機１０が送風運転中か否かを確認する（ＳＴ７）。
【００３７】
室内機制御部１６はＳＴ７において、連動室内機用変数Ｎ＝１が設定されている室内機Ｎｏ．の室内機１０が送風運転中である場合（ＳＴ７−Ｙｅｓ）、連動室内機用変数Ｎ＝１が設定されている室内機Ｎｏ．の吹出口コードに対応する吹出口を開く（ＳＴ８）。続いて、次の連動室内機を制御するために連動室内機用変数Ｎ＝１の値に数値“１”を加算する（ＳＴ９）。そして、ＳＴ５に戻る。以降は連動室内機用変数Ｎ＝４に増加するまで同様の処理を繰り返す。
【００３８】
一方、室内機制御部１６はＳＴ６において、連動室内機用変数Ｎ＝１に設定されている室内機Ｎｏ．の室内機１０が冷房運転中または暖房運転中である場合（ＳＴ６−Ｙｅｓ）、ＳＴ９へジャンプする。また、ＳＴ７において連動室内機用変数Ｎ＝１に設定されている室内機Ｎｏ．の室内機１０が送風運転中では無い場合（ＳＴ７−Ｎｏ）、連動室内機用変数Ｎ＝１に設定されている室内機Ｎｏ．の吹出口コードに対応する吹出口を開き、送風運転を開始する（ＳＴ１０）、そしてＳＴ９へジャンプする。
【００３９】
また、室内機制御部１６はＳＴ１において、人が居ると判定結果が変化していない場合（ＳＴ１−Ｎｏ）、ＳＴ１に戻る。また、室内機制御部１６はＳＴ５において、連動室内機用変数“Ｎ”に室内機Ｎｏ．が設定されていない場合（ＳＴ５−Ｎｏ）、空気調和システム１の連動室内機毎の制御を開始するための処理を終了する。
【００４０】
図６は、本発明による空気調和システム１の連動室内機毎の制御を終了するための処理の一例を示すフローチャートである。図６の処理を開始する条件として、室内機制御部１６は人が居ると判定しているものとする。なお、フローチャートに記載のＳＴはステップを表し、これに続く数字はステップ番号をそれぞれ表している。
【００４１】
室内機制御部１６は、人か居ないと判定結果が変化したか否かを確認する（ＳＴ２１）、人が居ないと判定結果が変化した場合（ＳＴ２１−Ｙｅｓ）、自機を基準室内機と認識し、その室内機１０の運転を停止する（ＳＴ２２）。続いて、図３で説明した管理テーブル４０を参照し基準室内機である自機に対する連動室内機として、連動室内機１から連動室内機４までに設定される室内機１０を連動室内機１から昇順に制御するために用いる連動室内機用変数“Ｎ”に連動室内機１を示す数値“１”をセットする。（ＳＴ２３）。続いて、室内機記憶部１５に記憶されている管理テーブル４０を参照し、運転を停止させた室内機１０（基準室内機）に対応する、連動室内機１から連動室内機４までに設定される複数の連動室内機の室内機Ｎｏ．と吹出口コードの設定を抽出する（ＳＴ２４）。
【００４２】
続いて室内機制御部１６は、管理テーブル４０から抽出した連動室内機１から連動室内機４までに設定される複数の連動室内機の室内機Ｎｏ．と吹出口コードの設定の中に、連動室内機用変数Ｎ＝１に設定されている室内機Ｎｏ．があるか否かを確認する（ＳＴ２５）。連動室内機用変数Ｎ＝１に設定されている室内機Ｎｏ．がある場合（ＳＴ２５−Ｙｅｓ）、連動室内機用変数Ｎ＝１に設定されている室内機Ｎｏ．の室内機１０が冷房運転中または暖房運転中か否かを確認する（ＳＴ２６）。連動室内機用変数Ｎ＝１が設定されている室内機Ｎｏ．の室内機１０が冷房運転中または暖房運転中ではない場合（ＳＴ２６−Ｎｏ）、連動室内機用変数Ｎ＝１が設定されている室内機Ｎｏ．の室内機１０は２つ以上の吹出口が開いているか否かを確認する（ＳＴ２７）。
【００４３】
室内機制御部１６はＳＴ２７において、連動室内機用変数Ｎ＝１が設定されている室内機Ｎｏ．の室内機１０は２つ以上の吹出口が開いていない場合（ＳＴ２７−Ｎｏ）、連動室内機用変数Ｎ＝１に設定されている室内機Ｎｏ．の吹出口コードに対応する吹出口を閉じ送風運転を停止する（ＳＴ２８）。続いて、次の連動室内機を制御するために連動室内機用変数Ｎ＝１の値に数値“１”を加算する（ＳＴ２９）。そして、ＳＴ２５に戻る。以降は連動室内機用変数Ｎ＝４に増加するまで同様の処理を繰り返す。
【００４４】
一方、室内機制御部１６はＳＴ２６において、連動室内機変数Ｎ＝１に設定されている室内機Ｎｏ．の室内機１０が冷房運転中または暖房運転中である場合（ＳＴ２６−Ｙｅｓ）、ＳＴ２９へジャンプする。また、ＳＴ２７において連動室内機変数Ｎ＝１に設定されている室内機Ｎｏ．の室内機１０は２つ以上の吹出口が開いている場合（ＳＴ２７−Ｙｅｓ）、連動室内機用変数Ｎ＝１に設定されている室内機Ｎｏ．の吹出口コードに対応する吹出口を閉じる（ＳＴ３０）、そしてＳＴ２９へジャンプする。
【００４５】
また、室内機制御部１６はＳＴ２１において、人が居ないと判定結果が変化していない場合（ＳＴ２１−Ｎｏ）、ＳＴ２１に戻る。また、室内機制御部１６はＳＴ２５において、連動室内機用変数“Ｎ”に室内機Ｎｏ．が設定されていない場合（ＳＴ２５−Ｎｏ）、空気調和システム１の連動室内機毎の制御を終了するための処理をする。
【００４６】
本発明は図５，６で説明した処理を行うことにより、人が居ないと判定された状態から人が居ると判定された状態へと判定結果が変化した場合と、人が居ると判定された状態から人が居ないと判定された状態へと判定結果が変化した場合に、基準室内機に隣り合う位置の連動室内機に対して送風運転を開始または停止することで、人の存在を検知した室内機から吹出される温度調節された空気が、人の存在を検知していない室内機の空調エリアへと流れ出すことを防止し、室内空間の中で人が居る特定の空調エリアだけを効率的に温度調節し、省エネ性と室内に居る人の快適性を高めることができる。
【符号の説明】
【００４７】
１  空気調和システム
２  通信線
１０  室内機
１１  人検知センサ
１２  温度センサ
１３  室内機通信部
１４  風向板
１５  室内機記憶部
１６  室内機制御部
２０  室外機
２１  室外機通信部
２２  室外機制御部
３０  集中管理装置
３１  通信部
３２  記憶部
３３  制御部
４０  管理テーブル
【図１】
2017083084.tif 000003
【図２】
2017083084.tif 000004
【図３】
2017083084.tif 000005
【図４】
2017083084.tif 000006
【図５】
2017083084.tif 000007
【図６】
2017083084.tif 000008